(57)【特許請求の範囲】
【請求項１】
フロア上に配設されたフレームと、このフレームに取り付けられたシートボトムおよびこのシートボトムの後部に立設されたシートバックからなるシート本体と、上記シートバックの背面側に収納される直立姿勢と上記背面側から離間した傾斜姿勢との間で姿勢変更可能に設けられたテーブル支持アームと、このテーブル支持アームの上端部にテーブル支持アームが傾斜姿勢に設定された状態で傾斜姿勢と水平姿勢との間で姿勢変更可能に設けられたテーブルとからなり、かつ、シートバックの座角と連動してシートボトムの後部の高さ位置が調節可能に構成されたシートのテーブル構造であって、上記シートバックを、座角が大きくなるに従って高さ位置が低くなるように昇降自在に保持する第１の保持手段が設けられている一方、上記テーブル支持アームを姿勢変更可能に保持する第２の保持手段が設けられ、上記第２の保持手段は、水平姿勢に設定された上記テーブルの高さ位置が上記シートバックの昇降と独立して一定になるように構成されていることを特徴とするシートのテーブル構造。
【請求項２】
上記第２の保持手段は、上記テーブル支持アームが上記シートバックの背面側に収納された状態で上記第１の保持手段に連動して動作するように構成されていることを特徴とする請求項１記載のシートのテーブル構造。
【請求項３】
上記第１の保持手段は、上記フレームと上記シートバックとの間に設けられた四辺形リンク構造によって形成されていることを特徴とする請求項１または２記載のシートのテーブル構造。
【請求項４】
上記第１の保持手段は、上記フレームと上記シートバックとの間に設けられた５辺形リンク構造によって形成されていることを特徴とする請求項１または２記載のシートのテーブル構造。
【請求項５】
上記第２の保持手段は、上記フレームに立設されたブラケットと、基端側がこのブラケットに第１水平軸回りに回動自在に軸支されるとともに、先端側が上記テーブル支持アームに第２水平軸回りに回動自在に軸支されたリンク腕と、上記テーブル支持アームの下端部に突設された外方に向かって延びる案内軸とを備えて形成され、上記ブラケットには、上記案内軸を案内するガイド長孔が穿設され、このガイド長孔は、シートバックの昇降に対応するように上下方向に延びた縦長孔と、この縦長孔の下端部から前方に向かって延びた横長孔とから構成されていることを特徴とする請求項１乃至４のいずれかに記載のシートのテーブル構造。
【請求項６】
上記第２の保持手段は、上記フレームに立設されたブラケットと、基端側がこのブラケットに第１水平軸回りに回動自在に軸支されるとともに、先端側が上記テーブル支持アームに第２水平軸回りに回動自在に軸支されたリンク腕と、基端側が上記ブラケットに第３水平軸回りに回動自在に軸支されるとともに、先端側が上記テーブル支持アームに第４水平軸回りに回動自在に軸支された、上記リンク腕と略平行な第２リンク腕とを備えて形成され、上記第２リンク腕には、上記第４水平軸を案内する長手方向に延びたリンク長孔が穿設されていることを特徴とする請求項１乃至４のいずれかに記載のシートのテーブル構造。
【請求項７】
上記テーブル支持アームを上記シートバックの方向に向けて斜め上方に付勢する付勢手段が設けられている一方、上記シートバックの背面には収納されたテーブル支持アームの上方への移動を規制する規制手段が設けられていることを特徴とする請求項１乃至６のいずれかに記載のシートのテーブル構造。
【発明の詳細な説明】
【０００１】
【発明の属する技術分野】
本発明は、鉄道車両、自動車、航空機、船舶、あるいは劇場等に適用されるシートのテーブル構造に関するものである。
【０００２】
【従来の技術】
従来、鉄道車両、自動車、航空機、船舶、あるいは劇場等には、テーブル付きのシートが配設されている。通常、このテーブル付きシートは、フロアに配設されたフレームに取り付けられ、着座席としてのシートボトムと、このシートボトムの後端部から立設された背凭れとしてのシートバックと、このシートバックの背面に設けられたテーブルとからなっている。シートボトムは、上記フレームに固定されているとともに、シートバックは、フレームの後部に設けられた幅方向に延びる第１水平軸回りに回動自在に軸支され、かつ、所定のロック機構によって所望の回動位置で回動をロックするように構成されており、ロック機構を操作することによって着座者はシートバックの傾倒角度を任意に設定することができるようになっている。
【０００３】
また、上記テーブルは、下端部がフレームに連結された支持アームの先端側に設けられている。具体的には、支持アームは、下端部が上記第１水平軸回りに回動自在に軸支されているとともに上端部に第２水平軸が設けられている。上記テーブルは、第２水平軸回りに直立姿勢と水平姿勢との間で回動自在に軸支されている。
【０００４】
従って、先端側がシートバックから離間した支持アームを、第１水平軸回りにシートバックの方向に回動させるとともに、テーブルを第２水平軸回りに回動して直立姿勢に設定することにより、テーブルがシートバックの背面に収納される一方、収納されたテーブルを引き出すことによって支持アームが第１水平軸回りに回動して後方に傾倒するとともに、テーブルが第２水平軸回りに回動して水平姿勢に設定され、これによって後部座席の着座者は、このテーブルを利用することができるようになる。
【０００５】
【発明が解決しようとする課題】
ところで、従来の上記シートにおいて、シートバックの高さ位置を調節し得るように構成されたものがある。この高さ位置調節可能なシートバックにおいては、シートバックを軸支した上記第１水平軸が昇降可能にフレームに支持され、所望の高さ位置でフレームにロックされるように構成されている。
【０００６】
しかし、このような高さ位置が設定可能なシートにあっては、シートバックおよび支持アームの双方が第２水平軸に軸支されているため、シートバックの高さ位置が変わると、これに伴ってテーブルの高さ位置も変わり、これによって後部座席の着座者は、テーブルに飲料等を安心して置くことができなくなるという問題点を有しており、従って、シートバックの背面にテーブルを収納可能に構成したシートにあっては、シートバックの高さ位置の調節を行い得るものは従来存在しなかった。
【０００７】
本発明は、上記のような問題点を解決するためになされたものであり、シートバックの昇降によってもテーブルの高さ位置が変化することのないシートのテーブル構造を提供することを目的としている。
【０００８】
【課題を解決するための手段】
本発明の請求項１記載のシートのテーブル構造は、フロア上に配設されたフレームと、このフレームに取り付けられたシートボトムおよびこのシートボトムの後部に立設されたシートバックからなるシート本体と、上記シートバックの背面側に収納される直立姿勢と上記背面側から離間した傾斜姿勢との間で姿勢変更可能に設けられたテーブル支持アームと、このテーブル支持アームの上端部にテーブル支持アームが傾斜姿勢に設定された状態で傾斜姿勢と水平姿勢との間で姿勢変更可能に設けられたテーブルとからなり、かつ、シートバックの座角と連動してシートボトムの後部の高さ位置が調節可能に構成されたシートのテーブル構造であって、上記シートバックを、座角が大きくなるに従って高さ位置が低くなるように昇降自在に保持する第１の保持手段が設けられている一方、上記テーブル支持アームを姿勢変更可能に保持する第２の保持手段が設けられ、上記第２の保持手段は、水平姿勢に設定された上記テーブルの高さ位置が上記シートバックの昇降と独立して一定になるように構成されていることを特徴とするものである。
【０００９】
このシートのテーブル構造によれば、シートバックは、第１の保持手段の動作によって高さ位置が自在に設定される一方、テーブルは、テーブル支持アームを直立姿勢に設定することによってシートバックの背面に収納されるとともに、第２の保持手段の動作によってテーブル支持アームを傾斜姿勢に設定し、かつ、テーブルを水平姿勢に設定することによって、後方のシートの着座者はこのテーブルを利用し得る状態になる。
【００１０】
そして、第２の保持手段は、上記第１の保持手段と独立した動作によって水平姿勢に設定された上記テーブルの高さ位置が上記シートバックの昇降と独立して一定になるように構成されているため、テーブルは、シートバックの上下位置の変動等に影響されることなく水平姿勢での高さ位置が常に同一に設定される。
【００１１】
本発明の請求項２記載のシートのテーブル構造は、請求項１記載のシートのテーブル構造において、上記第２の保持手段は、上記テーブル支持アームが上記シートバックの背面側に収納された状態で上記第１の保持手段に連動して動作するように構成されていることを特徴とするものである。
【００１２】
このシートのテーブル構造によれば、テーブルがシートバックの背面に収納された状態では、テーブルは、第２の保持手段の第１の保持手段との連動動作によって、シートバックの昇降に応じて昇降するため、収納されたテーブルとシートバックの背面部との間で摺接状態が生じず、シートバックの昇降動作が容易になるとともに、テーブルの収納状態が安定する。
【００１３】
本発明の請求項３記載のシートのテーブル構造は、請求項１または２記載のシートのテーブル構造において、上記第１の保持手段は、上記フレームと上記シートバックとの間に設けられた四辺形リンク構造によって形成されていることを特徴とするものである。
【００１４】
このシートのテーブル構造によれば、シートバックとシートボトムとの相対的な位置関係を略一定に維持した状態で、シートバックの座角を変更することが可能になる。従って、シートバックの座角を大きくした、いわゆるリクライニング姿勢においては、シートボトムの先端側が上方に持ち上げられた状態になり、これによってよりリラックスした状態でのシートへの着座が実現する。
【００１５】
本発明の請求項４記載のシートのテーブル構造は、請求項１または２記載のシートのテーブル構造において、上記第１の保持手段は、上記フレームと上記シートバックとの間に設けられた５辺形リンク構造によって形成されていることを特徴とするものである。
【００１６】
このシートのテーブル構造によれば、５辺形リンク構造は、４辺形リンク構造に比べて形状変形の自由度が大きくなるため、シートバックを後方に倒すことにより（すなわち座角を大きくすることにより）、シートバックの高さ位置が低下するとともに、シートボトムはシートバックに対して前進してシートバックよりも若干前方に位置した状態にすることが可能であり、こうすることによって、シートバックが、その座角が大きになった、いわゆるシートがリクライニング姿勢に設定されると、シートは、それが着座姿勢に設定されているときより全体の長さが若干長くなり、シートをより快適に利用し得るようになる。
【００１７】
本発明の請求項５記載のシートのテーブル構造は、請求項１乃至４のいずれかに記載のシートのテーブル構造において、上記第２の保持手段は、上記フレームに立設されたブラケットと、基端側がこのブラケットに第１水平軸回りに回動自在に軸支されるとともに、先端側が上記テーブル支持アームに第２水平軸回りに回動自在に軸支されたリンク腕と、上記テーブル支持アームの下端部に突設された外方に向かって延びる案内軸とを備えて形成され、上記ブラケットには、上記案内軸を案内するガイド長孔が穿設され、このガイド長孔は、シートバックの昇降に対応するように上下方向に延びた縦長孔と、この縦長孔の下端部から前方に向かって延びた横長孔とから構成されていることを特徴とするものである。
【００１８】
このシートのテーブル構造によれば、テーブルを昇降させることによりテーブル支持アームの下端部に設けられた案内軸が、ガイド長孔の縦長孔に案内されて上下動するようになっているため、テーブルがシートバックの背面に収納された状態でシートバックを上下動させると、テーブルはシートバックの上下動に同伴して昇降する。従って、テーブルが昇降し得ない場合には、シートバックを昇降させたときにシートバックとテーブルとの間でこすれ合いが生じ、円滑なシートバックの上下動が阻害されるという不都合が回避される。
【００１９】
そして、直立姿勢でシートバックの背面に収納されているテーブルを水平姿勢に姿勢変更させるときは、テーブル支持アームのみを案内軸が縦長孔の下端部に到達するまで降ろし、ついでテーブル支持アームの上端部を後方に引くことにより、案内軸が横長孔に案内されつつテーブル支持アームは第１水平軸回りに回動してシートバックから後方に引き出される。この状態でテーブルを後方に向けて第２水平軸回りに回動させることにより、シートバックから後方に引き出された状態で水平姿勢になる。
【００２０】
このように、テーブル支持アームに案内軸を設けるとともに、ブラケットに上記案内軸の昇降および第２水平軸回りの回転を案内する縦長孔および横長孔からなるガイド長孔を設けたため、テーブルはシートバックの上下動に対しては縦長孔に案内されつつシートバックに同伴して昇降するとともに、案内軸が縦長孔の下端部に到達した状態でテーブルがシートバックの背面から引き出され、これによって引き出されたテーブルは、シートバックの高さ位置に影響されることなく常に一定の高さ位置になる。
【００２１】
本発明の請求項６記載のシートのテーブル構造は、請求項１乃至４のいずれかに記載のシートのテーブル構造において、上記第２の保持手段は、上記フレームに立設されたブラケットと、基端側がこのブラケットに第１水平軸回りに回動自在に軸支されるとともに、先端側が上記テーブル支持アームに第２水平軸回りに回動自在に軸支されたリンク腕と、基端側が上記ブラケットに第３水平軸回りに回動自在に軸支されるとともに、先端側が上記テーブル支持アームに第４水平軸回りに回動自在に軸支された、上記リンク腕と略平行な第２リンク腕とを備えて形成され、上記第２リンク腕には、上記第４水平軸を案内する長手方向に延びたリンク長孔が穿設されていることを特徴とするものである。
【００２２】
このシートのテーブル構造によれば、テーブル支持アームとブラケットとは、リンク腕と第２リンク腕とで形成された４辺形リンク構造によって互いに連結されているため、テーブル支持アームは、この４辺形リンク構造のリンク運動に従って昇降可能になっており、シートバックの昇降に追随して昇降する。そして、第２リンク腕には、第４水平軸を案内するリンク長孔が設けられているため、第４水平軸はリンク長孔の穿設範囲内で移動可能になっており、これによってテーブル支持アームは第２水平軸回りに第４水平軸の移動範囲内での正逆回動によってシートバックに収納される位置とシートバックから引き出される位置との間で回動可能になっている。従って、テーブル支持アームは、シートバックの背面に収納された状態では、シートバックの昇降に追随して昇降するとともに、任意の位置でシートバックの背面から引き出すことが可能になる。しかも、テーブル支持アームは、それを引き出した状態で最下位に位置設定することが可能であり、こうすることによってテーブルの高さ位置をシートバックの高さ位置に拘りなく一定に維持することが可能になる。そして、このようにテーブル支持アームの変位に四辺形リンク構造を採用することによって、テーブル支持アームをより円滑に昇降させることが可能になる。
【００２３】
本発明の請求項７記載のシートのテーブル構造は、請求項１乃至６のいずれかに記載のシートのテーブル構造において、上記テーブル支持アームを上記シートバックの方向に向けて斜め上方に付勢する付勢手段が設けられている一方、上記シートバックの背面には収納されたテーブル支持アームの上方への移動を規制する規制手段が設けられていることを特徴とするものである。
【００２４】
このテーブル構造によれば、テーブル支持アームは、付勢手段の付勢力によって常にシートバック背面に当接される方向に付勢されているとともに、規制手段によってシートバック背面に当接した状態のテーブル支持アームの上方への移動が規制されるため、テーブルのシートバック背面への収納状態が安定する。
【００２５】
【発明の実施の形態】
図１は、本発明に係るシートのテーブル構造の第１実施形態を示す背面視の分解斜視図であり、図２はその骨格の組立て斜視図である。また、図３は、図２に示すシートの一部断面側面図である。さらに図４および図５は、図２に示すシートの背面視の外観図であり、図４は、テーブルがシートバックの背面に収納された状態、図５は、テーブルがシートバックの背面から引き出された状態をそれぞれ示している。なお、図１および図２において、Ｘ−Ｘ方向を幅方向、Ｙ−Ｙ方向を前後方向といい、特に、−Ｘ方向を左方、＋Ｘ方向を右方、−Ｙ方向を前方、＋Ｙ方向を後方という。これらの図に示すように、シート１は、フロアＦ上に配設されたフレーム２と、このフレーム２に取り付けられたシートボトム３１およびこのシートボトム３１の後部に立設されたシートバック３４からなるシート本体３と、上記フレーム２の後方に設けられ、かつ、上記シート本体３を支持するブラケット４と、このブラケット４に下端部が接続されたテーブル支持体５と、このテーブル支持体５の上端部に設けられた平板状のテーブル６とからなる基本構成を有している。
【００２６】
上記フレーム２は、本実施形態においては、幅方向に長尺に形成され、これによって２席のシート本体３がフレーム２上に配設されるものを例に挙げているが、紙面の都合上シート本体３は１席のみ示している。このようなフレーム２は、前後方向一対の長尺フレーム２２および幅方向一対の短尺フレーム２３からなる平面視で長方形状の基礎フレーム２１と、この基礎フレーム２１の幅方向中央部で前後の長尺フレーム２２間に架橋された中央部架橋フレーム２４と、この中央部架橋フレーム２４の幅方向両側部で長尺フレーム２２間に架橋された一対の側部架橋フレーム２５とからなっている。
【００２７】
このような基礎フレーム２１の中央部架橋フレーム２４および側部架橋フレーム２５とフロアＦとの間にはフレーム支持体２０が介設されている。このフレーム支持体２０は、フレーム２にシート本体３が支持された状態で、シートボトム３１の座面が着座し易い高さに位置になるように上下寸法が設定されている。このフレーム支持体２０には、図略の回転機構が設けられ、これによってフレーム２は、この回転機構によって鉛直方向に延びる中心回りに回転可能になっており、フレーム２を１８０°回転させることによってシート１を後ろ向きに方向設定し得るようになっている。
【００２８】
また、上記中央部架橋フレーム２４の後部には上方に向かって突設された中央直立フレーム２６が一体に設けられているとともに、短尺フレーム２３の後部には上記中央直立フレーム２６に幅方向で対向した側部直立フレーム２７が設けられ、上記シート本体３およびテーブル支持体５は、上記ブラケット４およびこれら直立フレーム２６，２７を介して短尺フレーム２３に結合されている。
【００２９】
上記シートボトム３１は、発泡性合成樹脂製のパッド材の表面をトリムで覆ったボトムクッション３２と、このボトムクッション３２を支持するボトムフレーム３３とからなっている。上記ボトムクッション３２は、ボルト止めその他でボトムフレーム３３に固定されている。上記ボトムフレーム３３の幅方向両側部には、前後方向に延びる突条３３ａが設けられ、シート本体３は、この突条３３ａを介してフレーム２に装着されるようになっている。
【００３０】
上記シートバック３４は、発泡性合成樹脂製のパッド材の表面をトリムで覆ったバッククッション３５と、このバッククッション３５を支持するバックフレーム３６と、このバックフレーム３６の背面部を覆うバックカバー３７とを備えて形成されている。上記バックフレーム３６は、金属製パイプを角形の環状に折り曲げて両端部を溶接止めすることにより形成されている。このようなバックフレーム３６の幅方向両側部の下半分には、上下方向に延びる一対のバックブラケット３６ａが固定されている。バックフレーム３６は、このバックブラケット３６ａを介してフレーム２に取り付けられている。
【００３１】
上記バックカバー３７は、合成樹脂製の板状の成形品によってバックフレーム３６の背面側に外嵌されるように形状設定されている。このバックカバー３７は、背面板３７ａと、この背面板３７ａの幅方向両側部の略上半分から前方に向かって突設された一対の側板３７ｂと、背面板３７ａの下縁部から前方に向かって突設された下部板３７ｃとからなっている。
【００３２】
そして、バッククッション３５がバックフレーム３６の前面側に装着された状態でバックカバー３７をバックフレーム３６およびバッククッション３５に背面側から被せて側板３７ｂおよび下部板３７ｃをバックフレーム３６にねじ止め等で固定することにより、バックカバー３７がバックフレーム３６に取り付けられるようにしている。このようなバックカバー３７をバックフレーム３６に装着した状態で、上記バックブラケット３６ａはバックカバー３７から外部に露出するように側板３７ｂの上下寸法が設定されている。
【００３３】
また、上記背面板３７ａの背面部には上記テーブル支持体５およびテーブル６の外観形状に合致した収納凹部３７ｄが凹設され、この収納凹部３７ｄに直立姿勢に姿勢設定されたテーブル支持体５およびテーブル６が収納されるようになっている。この収納凹部３７ｄの上縁部に、収納凹部３７ｄに収納されたテーブル支持アーム５１の上方への移動を規制する規制手段が形成されている。そしてテーブル６の先端縁部が上記上縁部に当止することによってテーブル支持アーム５１の上方への移動が阻止されるようになっている。
【００３４】
上記ブラケット４は、図１に示すように、短尺フレーム２３上および中央部架橋フレーム２４上であって直立フレーム２６，２７の前面側に立設固定された第１ブラケット４１と、同後面側に固定された第２ブラケット４２とからなっている。上記第１ブラケット４１には、一端が上下一対の前方支持軸４１ａのそれぞれ回りに回動自在に軸支された上部リンク腕４１ｂおよび下部リンク腕４１ｃが設けられている。上記各リンク腕４１ｂ，４１ｃは、他端が上下一対の後方支持軸４１ｄ回りに回動自在に軸支された状態で側面視が三角形状の中継板２８に連結されている。これら上部リンク腕４１ｂおよび下部リンク腕４１ｃによって本発明の第１の保持手段が形成されている。
【００３５】
上記中継板２８は、幅方向一対で設けられているとともに、各中継板２８間に連結ロッド２８ｃが差し渡され、この連結ロッド２８ｃによって左右の中継板２８が同じ動きをし得るようにしている。
【００３６】
上記各前方支持軸４１ａ，４１ｄは、上部リンク腕４１ｂと下部リンク腕４１ｃとが互いに平行になるように位置設定されている。そして、上部リンク腕４１ｂと、下部リンク腕４１ｃと、第１ブラケット４１の一対の前方支持軸４１ａ間の部分と、中継板２８の一対の後方支持軸４１ｄ間の部分とで四辺形リンク構造が形成され、このリンク構造によって中継板２８は円弧状の曲線軌跡を描きながら昇降するようになっている。
【００３７】
このような一対の中継板２８には、断面視でコ字形状の長尺の支持部材２８ａがそれぞれ同一高さ位置で設けられている。各支持部材２８ａは、前方に向かって緩やかな先上がりの傾斜が形成されるように中継板２８に溶接等で一体に固定されている。また、これらの支持部材２８ａは、それぞれの開口面が互いに対向するように設けられ、これによって各支持部材２８ａには互いに対向した装着溝２８ｂがそれぞれ形成された状態になっている。これらの装着溝２８ｂに上記ボトムフレーム３３の突条３３ａが嵌入されることによって、シートボトム３１が支持部材２８ａを介してフレーム２に装着されるようになっている。
【００３８】
また、上記シートバック３４は、バックフレーム３６の各バックブラケット３６ａが中継板２８にボルト止めで固定されることにより中継板２８に固定されており、これによってシートバック３４は中継板２８を介してフレーム２に取り付けられている。
【００３９】
そして、上記上部リンク腕４１ｂの長さ寸法は、上記下部リンク腕４１ｃの長さ寸法より長く寸法設定されているとともに、シートバック３４がシートボトム３１の後端部で直立した起立姿勢に設定された状態で、各リンク腕４１ｂ，４１ｃは後方上がりに傾斜するように取り付け位置が設定されている。
【００４０】
従って、シートバック３４に下方に向かう力を加えると、各リンク腕４１ｂ，４１ｃはそれぞれの前方支持軸４１ａ回りに時計方向に回動するリンク運動を行いつつシートバック３４は下降するが、このとき、上部リンク腕４１ｂは下部リンク腕４１ｃより長いため、各リンク腕４１ｂ，４１ｃが水平姿勢に近付くにつれて下部リンク腕４１ｃの後方支持軸４１ｄの方が下部リンク腕４１ｃの後方支持軸４１ｄより後方に突出した状態になり、これによって中継板２８は上部が後方に向かって押し出された状態になり、中継板２８に固定されているシートバック３４は後方に向かって傾いた傾斜姿勢になる。
【００４１】
また、フレーム２の適所には、設定されたシートバック３４の傾斜姿勢をロックする図略のロック機構が設けられ、シートバック３４の傾倒操作で所望の傾斜角度が得られた時点に上記ロック機構を操作することによってシートバック３４の傾斜角度が固定されるようになっている。
【００４２】
上記第２ブラケット（ブラケット本体）４２は、前縁部および下縁部がそれぞれ上記側部直立フレーム２７および短尺フレーム２３に固定された平板によって形成され、前方上部に支持孔４３が穿設されているとともに、後縁部および下縁部に沿うようにＬ字形状のガイド長孔４４が穿設されている。このガイド長孔４４は、上下方向に延びた縦長孔４４ａと、前後方向に延び、かつ、下に向かって凸の円弧形状を呈した横長孔４４ｂとからなっている。そして、上記テーブル支持体５は、これら支持孔４３およびガイド長孔４４を介して第２ブラケット４２にリンク結合されている。
【００４３】
上記テーブル支持体５は、上下一対の幅方向に延びる連結ロッド５２（上部連結ロッド５２ａおよび下部連結ロッド５２ｂ）によって連結された幅方向一対のテーブル支持アーム５１と、各テーブル支持アーム５１に取り付けられた幅方向一対のリンク腕５３とを備えて構成されている。
【００４４】
上記上部連結ロッド５２ａは、その両端部がテーブル支持アーム５１の上下方向中間部より若干下部においてテーブル支持アーム５１を貫通するように設けられ、貫通して外部に突出した部分で幅方向一対の第２水平軸５４が形成されている一方、上記リンク腕５３は、その一端部が第２水平軸５４に接続されて第２水平軸５４回りに回動自在に軸支されている。
【００４５】
また、上記各テーブル支持アーム５１の上端部には、互いに対向する方向に延びる貫通孔５１ａが穿設されており、この貫通孔５１ａに後述する第３水平軸６１を挿通することにより、上記テーブル６は第３水平軸６１回りに回動自在に軸支され、直立姿勢と水平姿勢との間で姿勢変更し得るようになっている。
【００４６】
上記一対のリンク腕５３は、他端部に幅方向で互いに反対方向に延びる第１水平軸５６が設けられ、この第１水平軸５６が上記第２ブラケット４２の支持孔４３に嵌入されることによって第１水平軸５６回りに回動自在に軸支されている。従って、テーブル支持アーム５１は、リンク腕５３を介して第１水平軸５６回りに周回し得るとともに、周回しながら第２水平軸５４回りに回動し得るようになっている。
【００４７】
上記下部連結ロッド５２ｂは、両端部が各テーブル支持アーム５１を貫通して外方に突出され、この突出した部分で幅方向一対の案内軸５７が形成されているとともに、各案内軸５７はそれぞれ左右のガイド長孔４４に嵌入されている。そして、案内軸５７が縦長孔４４ａに位置した状態で、各テーブル支持アーム５１はおよび直立姿勢のテーブル６は、シートバック３４のバックカバー３７の収納凹部３７ｄに嵌まり込むとともに、案内軸５７が横長孔４４ｂに位置した状態で横長孔４４ｂに案内されつつ第２水平軸５４回りに回動し得るように寸法設定されている。
【００４８】
上記案内軸５７は、先端部に自軸心回りに回転自在に被せられたローラ５７ａを有し、この案内軸５７の外周面が縦長孔４４ａの内縁部に当接して回転することにより、案内軸５７の縦長孔４４ａに案内された移動が円滑に行われるようにしている。そして、第１実施形態においては、上記リンク腕５３と、ガイド長孔４４に案内される上記案内軸５７とによって本発明の第２の保持部材が形成されている。
【００４９】
上記横長孔４４ｂは、案内軸５７が縦長孔４４ａの下端部に位置した状態での第２水平軸５４を中心とした円弧に沿うように形状設定され、これによって第２水平軸５４が縦長孔４４ａの下端部に到達した時点からは、第２水平軸５４の位置設定が行われた状態でテーブル支持アーム５１は第２水平軸５４回りに正逆回動して直立姿勢と傾斜姿勢との間で姿勢変更されるようになっている。
【００５０】
また、上記第２水平軸５４にはリンク腕５３とテーブル支持アーム５１に挟持された状態のレバー片５８が回動自在に設けられているとともに、このレバー片５８の先端部にはコイルばね５９が設けられている。このコイルばね５９の先端部は、緊張状態で上記各直立フレーム２６，２７の頂部に接続され、コイルばね５９の付勢力でテーブル支持体５がバックカバー３７の収納凹部３７ｄ内に押し付けられるようになっている。
【００５１】
従って、案内軸５７が縦長孔４４ａの再下端部に位置した状態で、テーブル支持アーム５１を第２水平軸５４回りに時計方向に回動することにより収納凹部３７ｄに収納されていたテーブル６はコイルばね５９の付勢力に抗して外部に引き出されるとともに、引き出されたテーブル６をテーブル支持アーム５１を介して第２水平軸５４回りに反時計方向に回動することにより、テーブル６は収納凹部３７ｄ内に収納され、かつ、コイルばね５９の付勢力で収納状態が安定するようになっている。
【００５２】
また、上記横長孔４４ｂは、その前端部に案内軸５７が位置した状態で、上記コイルばね５９の付勢力によってもテーブル支持アーム５１が第２水平軸５４回りに反時計方向に回動しないように形状設定または寸法設定されている。
【００５３】
上記テーブル６は、幅寸法が水平姿勢における前後寸法よりも大きく設定された長方形状に寸法設定されている。このテーブル６の基端側の幅方向両側縁部には、幅方向一対の円柱状の第３水平軸６１が軸心を幅方向に延ばした状態で突設されている。各第３水平軸６１の端面には雌ねじが螺設されている一方、この雌ねじに螺合する雄ねじ５５が設けられ、この雄ねじ５５が第３水平軸６１の雌ねじに螺着締結されることによって第３水平軸６１は雄ねじ５５の頭部によって抜け止めされた状態でテーブル支持アーム５１に装着され、これによってテーブル６が第３水平軸６１回りに回動自在にテーブル支持アーム５１に取り付けられている。
【００５４】
また、テーブル６の幅方向両側縁部であって、上記第３水平軸６１の近傍には幅方向に突設された突片６２が外方に向かって突設されている一方、上記テーブル支持アーム５１には、貫通孔５１ａの前方に上記突片６２に対応して穿設された円弧孔５１ｂが穿設されている。これらの円弧孔５１ｂは、貫通孔５１ａを中心とした円弧に沿うように形成されており、上記各第３水平軸６１が貫通孔５１ａに嵌入された状態で上記各突片６２が対応した円弧孔５１ｂに嵌め込まれることにより、テーブル６は、上方に延びる直立姿勢と水平方向に延びる水平姿勢との間で姿勢変更し得るようになっている。
【００５５】
また、テーブル６には、裏面の先端側縁部の角の部分が凹設されて形成した操作凹部６３が設けられ、この操作凹部６３に指を入れて所定の方向に押圧することによってテーブル６のシートバック３４背面からの引き出し操作、およびシートバック３４背面への収納操作を行うようにしている。
【００５６】
一方、上記シートバック３４のバックカバー３７には、収納凹部３７ｄに上縁部であって、上記操作凹部６３に対応した部分に留め軸６４ａ回りに回動自在に軸支された棒状の係止片６４が設けられている。この係止片６４は、上下方向に延びるように姿勢設定された状態で、側部が収納凹部３７ｄにかかるように寸法設定されている。従って、テーブル６が収納凹部３７ｄに収納された状態で、係止片６４を留め軸６４ａ回りに回動操作してその側部を収納凹部３７ｄ内に位置させることにより、係止片６４の側部が操作凹部６３内に入り込み、これによってテーブル６が収納凹部３７ｄから抜け出るのが防止されてテーブル６の収納状態が安定するようにしている。
【００５７】
図６および図７は、第１実施形態のテーブル構造の作用を説明するためのシート１の側面視の説明図であり、図６は、テーブル６の開閉動作の説明図であって（イ）はテーブル６が直立姿勢に設定されてシートバック３４の収納凹部３７ｄに収納された状態、（ロ）はテーブル６が収納凹部３７ｄから引き出されて水平姿勢に移行しつつある状態、（ハ）はテーブル６がシートバック３４の収納凹部３７ｄから引き出されて水平姿勢に設定された状態をそれぞれ示している。また、図７は、シートバック３４の昇降動作に連動するテーブル６の昇降動作の説明図であって、（イ）はシートバック３４が最上位に位置した状態、（ロ）はシートバック３４が最下位に位置した状態をそれぞれ示している。
【００５８】
まず、図６を基にテーブル６の開閉動作を説明する。図６の（イ）に示す状態では、テーブル支持アーム５１およびテーブル６はそれぞれ直立姿勢で上方に引き上げられてシートバック３４の収納凹部３７ｄに収納されている。テーブル６の収納状態は、レバー片５８と直立フレーム２６，２７との間に張設されたコイルばね５９の付勢力によって維持されている。この状態で、テーブル支持アーム５１の案内軸５７はブラケット４の縦長孔４４ａの最上位に位置している。また、係止片６４は垂直姿勢に設定されてその下端部でテーブル６の操作凹部６３を係止しており、これによってテーブル６の開放が阻止されている。
【００５９】
図６の（イ）に示す収納状態のテーブル６を収納凹部３７ｄから引き出すに際しては、まず、係止片６４を留め軸６４ａ回りに９０°回して係止片６４によるテーブル６の係止を解除してテーブル６を後方に向かって引き出し得る状態にする。この状態で操作凹部６３に指を入れてテーブル６を下方に押圧すると、図６の（ロ）に示すように、テーブル支持アーム５１が下方に押されて下降する。この下降によってリンク腕５３が第１水平軸５６回りに回動しながら案内軸５７が縦長孔４４ａに案内されつつ下降するため、これに規制されてテーブル支持アーム５１の直立姿勢は案内軸５７が縦長孔４４ａの最下端に到達するまで維持される。
【００６０】
そして、案内軸５７が縦長孔４４ａの最下端に到達した後、テーブル６を後方に向かって移動させることにより、案内軸５７が横長孔４４ｂに案内されつつテーブル支持アーム５１が第２水平軸５４回りに時計方向に回動し、案内軸５７が横長孔４４ｂの前端部に当止することによって、図６の（ハ）に示すように、シートバック３４の背部に水平姿勢に設定されたテーブル６が展開された状態になる。
【００６１】
水平姿勢に設定されたテーブル６をシートバック３４の収納凹部３７ｄに収納するには、図６の（ハ）に示す展開状態のテーブル６を、第３水平軸６１回りに反時計方向に回動して直立姿勢に設定してから、シートバック３４の方向に押圧する。そうすると、案内軸５７は長孔４４ｂの後端部に当止して縦長孔４４ａの下端部に位置した状態になる（図６の（ロ））。この状態でテーブル６の下端縁部を上方に押し上げることにより、案内軸５７が縦長孔４４ａにガイドされるとともに、第２水平軸５４がリンク腕５３を介して第１水平軸５６回りに回動しつつテーブル６が収納凹部３７ｄの壁面に摺接しながら上昇し、収納凹部３７ｄ内に収納される。テーブル６が収納凹部３７ｄに収納された状態で係止片６４を操作してテーブル６の移動を止めることにより、図６の（イ）に示すように、テーブル６の収納状態が安定する。
【００６２】
つぎにシートバック３４の昇降動作に連動するテーブル６の昇降動作について説明する。図７の（イ）に示すように、シートバック３４が最上位にレベル設定されているときには、テーブル支持アーム５１がコイルばね５９の付勢力によって上方に引き上げられていることにより、テーブル６はその上縁部がシートバック３４の収納凹部３７ｄ内の上縁部に当止した状態になっている。この状態では、案内軸５７が縦長孔４４ａの上縁部に当止している。
【００６３】
次いで、シートバック３４が下降されると、テーブル６は、その上縁部が収納凹部３７ｄの上縁部によって押圧され、シートバック３４の下降に同伴して下降する。そして、シートバック３４が最下位にレベル設定されることにより、案内軸５７は、図７の（ロ）に示すように、縦長孔４４ａの最下端部に位置した状態になる。
【００６４】
このように、本実施形態においては、テーブル６がシートバック３４の昇降動作に連動して昇降するようになっているため、テーブル６のシートバック３４背面における収納位置が変わることがなく、テーブル６の収納凹部３７ｄに対する収納状態が安定する。また、収納状態のテーブル６が、いずれの高さ位置にあっても、テーブル６は、一旦案内軸５７を縦長孔４４ａの最下端位置にまで押し下げた後に収納凹部３７ｄから引き出すようになっているため、シートバック３４の高さ位置に拘らず、引き出されて水平姿勢に設定されたテーブル６の高さ位置は常に同一になるとともに、テーブル６が水平姿勢に設定された状態ではシートバック３４の高さ位置に変動があっても、テーブル６の高さ位置は変化せず、テーブル６の高さ位置が変わり、これによって例えばテーブル６に載置された食器が横転するような不都合は全く生じない。
【００６５】
図８は、本発明に係るシートのテーブル構造の第２実施形態を示す分解斜視図であり、図９はその組立て斜視図である。これらの図に示すように、第２実施形態のテーブル構造においては、テーブル支持体５がシート本体３と同様に四辺形リンク構造によって変位するようになっている。具体的には、第１実施形態のガイド長孔４４の穿設された第２ブラケット４２に代えて、ガイド長孔４４の穿設されていない第４ブラケット４２０が設けられている一方、テーブル支持アーム５１の下端部には、第１実施形態の案内軸（第４水平軸）５７に回動自在に軸支された、上記リンク腕５３と略平行な第２リンク腕５７０が設けられている。そして、第４ブラケット４２０には、リンク腕５３の第１水平軸５６が挿通される支持孔４３の下部に、第２リンク腕５７０を支持するために下部支持孔４３０が穿設されている。
【００６６】
上記第２リンク腕５７０は、その上部のリンク腕５３と略同一の長さ寸法を有し、前端側（図８の左方）に突設された、上記下部支持孔４３０に差し通される第３水平軸５７１と、後端側に長手方向に延びるように突設されたリンク長孔５７２とを備えている。そして、第２実施形態においては、上記リンク腕５３と、リンク長孔５７２の穿設された第２リンク腕５７０とによって本発明に係る第２の保持手段が形成されている。
【００６７】
そして、リンク腕５３の第１水平軸５６を第４ブラケット４２０の支持孔４３に摺接状態で嵌入するとともに、第２リンク腕５７０の第３水平軸５７１を第４ブラケット４２０の下部支持孔４３０に摺接状態で嵌入した状態で、リンク腕５３の後端部の挿通孔５３１を摺接状態で第２水平軸５４の側端部に外嵌してねじ止めするとともに、第２リンク腕５７０のリンク長孔５７２を案内軸５７の側端部に外嵌してねじ止めすることにより、図９に示すように、リンク腕５３と、第２リンク腕５７０と、第２水平軸５４および案内軸５７間のテーブル支持アーム５１と、支持孔４３および下部支持孔４３０間の第４ブラケット４２０とで四辺形リンク構造が形成され、これによってテーブル支持アーム５１はシート本体３の後部の昇降に追随して昇降し得るようになっている。
【００６８】
また、一対の第４ブラケット４２０には、下部支持孔４３０より若干後方位置の斜め下方に互いに対向する方向に突設されたストッパ４２１がそれぞれ突設されており、第２リンク腕５７０がこのストッパ４２１に干渉することによってテーブル支持アーム５１が所定の下限位置より下方に向けて下降しないようにしている。
【００６９】
図１０は、第２実施形態のテーブル構造の作用を説明するためのシート１の側面視の説明図であり、（イ）は、シートバック３４が最上位に位置した状態でテーブル６がシートバック３４の収納凹部３７ｄに収納された状態、（ロ）は、シートバック３４が最下位に位置した状態でテーブル６収納凹部３７ｄから引き出されて水平姿勢に設定された状態をそれぞれ示している。
【００７０】
まず、図１０の（イ）に示す状態では、テーブル支持アーム５１およびテーブル６はそれぞれ直立姿勢で上方に引き上げられてシートバック３４の収納凹部３７ｄに収納されている。また、係止片６４は垂直姿勢に設定されてその下端部でテーブル６の操作凹部６３を係止しており、これによってテーブル６の開放が阻止されている。
【００７１】
そして、テーブル支持アーム５１の案内軸５７は、第２リンク腕５７０のリンク長孔５７２の後端側（図１０の右方）に位置した状態になっており、この状態でシートバック３４を昇降させると、テーブル支持アーム５１は上下のリンク腕５３，５７０からなる四辺形リンク構造のリンク運動によって上記昇降に追随するため、テーブル６がシートバック３４の収納凹部３７ｄから外れるという不都合は起こらない。
【００７２】
つぎに、図１０の（イ）および（ロ）を基にテーブル６の引き出し操作について説明する。ちなみに図１０の（ロ）においては、テーブル６が引き出される前にシートバック３４が最下位の位置に設定されている。収納凹部３７ｄに収納状態のテーブル６を引き出すに際しては、まず、係止片６４を留め軸６４ａ回りに９０°回して係止片６４によるテーブル６の係止を解除してテーブル６を後方に向かって引き出し得る状態にする。この状態で操作凹部６３に指を入れてテーブル６を下方に押圧すると、図６の（ロ）に示すように、テーブル支持アーム５１が下方に押されて下降する。この下降によってリンク腕５３が第１水平軸５６回りに時計方向に回動するとともに、第２リンク腕５７０も第３水平軸５７１回りに時計方向に回動して下降し、ストッパ４２１に当止してテーブル支持アーム５１の最下位位置が維持される。
【００７３】
そして、テーブル支持アーム５１が最下位に位置設定された後、テーブル６を後方に向かって移動させることにより、テーブル支持アーム５１が第２水平軸５４回りに時計方向に回動して案内軸５７が第２リンク腕５７０のリンク長孔５７２に案内されつつ前方（図１０の左方）に移動し、これによってテーブル支持アーム５１が収納凹部３７ｄから引き出された状態になる。この状態でテーブル６を第３水平軸６１回りに時計方向に回動させることにより、図１０の（ロ）に示すように、シートバック３４の背部に水平姿勢に設定されたテーブル６が展開される。
【００７４】
水平姿勢に設定されたテーブル６をシートバック３４の収納凹部３７ｄに収納するには、図１０の（ロ）に示す展開状態のテーブル６を、第３水平軸６１回りに反時計方向に回動して直立姿勢に設定してから、シートバック３４の方向に押圧する。そうすると、案内軸５７は第２水平軸５４回りに反時計方向に回動して第２リンク腕５７０がリンク長孔５７２の後端側に移動する。この状態でテーブル６の下端縁部を上方に押し上げることにより、上下のリンク腕５３，５７０のリンク運動によってテーブル６が収納凹部３７ｄの壁面に摺接しながら上昇し、収納凹部３７ｄ内に収納される。テーブル６が収納凹部３７ｄに収納された状態で係止片６４を操作してテーブル６の移動を止めることにより、図１０の（イ）に示すように、テーブル６がシートバック３４の背面に収納された状態になる。
【００７５】
以上詳述したように、第２実施形態のテーブル構造は、テーブル支持アーム５１の姿勢変更の機構において、リンク腕５３と第２リンク腕５７０とからなる四辺形リンク構造を採用しているため、案内軸５７が第２ブラケット４２の縦長孔４４ａ内を摺動する第１実施形態に比較して、テーブル支持アーム５１をより円滑に昇降させることができる。
【００７６】
図１１は、本発明に係るリンク構造の他の実施形態を示す斜視図であり、（イ）は分解斜視図、（ロ）は組立て斜視図である。また、図１２は、リンク構造の他の実施形態の作用を説明するための側面視の説明図であり、（イ）はシートバック３４が直立姿勢に設定された状態、（ロ）はシートバック３４が傾斜姿勢に設定された状態をそれぞれ示している。なお、図１１においては、五辺形リンク構造に係る部分のみを示している。この実施形態においては、シート本体３ａのフレーム２には、第１ブラケット４１の前方に下部小ブラケット２９（図１２）が上方に向かって突設されている一方、ボトムフレーム３３にも上記下部小ブラケット２９に対応した上部小ブラケット３９が下方に向かって突設されている。そして、これら各小ブラケット２９，３９間に上下一対の幅方向に延びる連結軸２３９を介して前方リンク腕４５（図１２）が介設され、これによってシートボトム３１は前方部分が前方リンク腕４５の回動範囲以外には移動し得ないように移動範囲が規制されている。
【００７７】
また、ボトムフレーム３３は、その後部には上方に向かって突設されたボトムフレーム３３と一体の三角形状の中継板２８（図１１、図１２）を有しており、この中継板２８の上部に、上部後方支持軸４１ｄ′回りに回動自在にバックフレーム３６のバックブラケット３６ａが軸支されている。また上記第１ブラケット４１の上部には、上部前方支持軸４１ａ′回りに回動自在に上部リンク腕４１ｂ′が軸支されている。そして、この上部リンク腕４１ｂ′の先端側と、上記バックフレーム３６の下端部とは、幅方向に延びる中間軸４１０ｄ回りに相対回動可能に接続されている。従って、上記バックフレーム３６に下方に向かう力を加えると、この力は上部後方支持軸４１ｄ′および中継板２８を介してボトムフレーム３３に伝達され、これによってボトムフレーム３３が上記連結軸２３９回りに回動するようになっている。
【００７８】
また第１ブラケット４１の下部には幅方向に延びる下部前方支持軸４１ａ″が設けられ、この下部前方支持軸４１ａ″回りに回動自在に下部リンク腕４１ｃ′が設けられている。この下部リンク腕４１ｃ′の右方上部と上記中継板２８の右方下部とが下部後方支持軸４１ｄ″回りに相対回動可能に接続されている。
【００７９】
これによって第１ブラケット４１と中継板２８との間には、図１２に太線で示すように上部後方支持軸４１ｄ′および中間軸４１０ｄ間のバックブラケット３６ａと、中間軸４１０ｄおよび上部前方支持軸４１ａ′間の上部リンク腕４１ｂ′と、上部前方支持軸４１ａ′および下部前方支持軸４１ａ″間の第１ブラケット４１と、下部前方支持軸４１ａ″および下部後方支持軸４１ｄ″間の下部リンク腕４１ｃ′とで五辺形リンク構造が形成されている。
【００８０】
そして、上記各リンク腕（上部後方支持軸４１ｄ′および中間軸４１０ｄ間のバックブラケット３６ａ等）のリンク軸（上部後方支持軸４１ｄ′等）間の距離が適切に設定され、これによって、バックフレーム３６に下方に向かう力を加えると、上記五辺形リンク構造のリンク運動によってボトムフレーム３３が前進するとともに、バックフレーム３６は、下降しながらその座角（鉛直面に対するバックフレーム３６の傾倒角度）が大順次きくなるようになっている。
【００８１】
この実施形態におけるシート本体３ａのその他の構成、並びにテーブル支持体５およびテーブル６の構成は先の実施形態と同様である。
【００８２】
従って、この実施形態のシート本体３ａによれば、シートバック３４は、座角に連動して高さ位置が自動的に調節されるため、すなわち、座角が小さいとき（図１２の（イ））にはシートバック３４の高さ位置は高く、座角が大きいとき（図１２の（ロ））にはシートバック３４の高さ位置は低く自動的に調節されるとともに、シートバック３４が座角の大きいリクライニング姿勢に設定された状態では、シートボトム３１が前進するため、シートバック３４下部とシートボトム３１後部との間の干渉を回避することができるとともに、シート本体３ａの全長寸法が長くなることによって、リクライニング姿勢に設定されたシート１をより快適に利用することが可能になる。
【００８３】
本発明は、上記の実施形態に限定されるものではなく、以下の内容をも包含するものである。
【００８４】
（１）上記の実施形態においては、テーブル支持アーム５１はリンク腕５３を介して第２ブラケット４２に取り付けられているが、本発明は、こうすることに限定されるものではなく、テーブル支持アーム５１の第２水平軸５４を第２ブラケット４２に直接支持させるようにしてもよい。このようにしてもシートバック３４の昇降とは独立してテーブル支持アーム５１を第２水平軸５４回りに回動させることができるため、シートバック３４の高さ位置を変えてもテーブル６の高さ位置が変わることはない。但しこのようにすると、テーブル６がシートバック３４の背面に収納された状態でシートバック３４を昇降させることにより、シートバック３４の背面とテーブル６とが相互に摺接し合うようになるため、この摺接状態が良好に行われるようにする必要がある。
【００８５】
（２）上記の実施形態においては、横長孔４４ｂは円弧孔が採用されているが、横長孔４４ｂが円弧孔であることに限定されるものではなく、直線状の長孔であってもよいし、所定曲線に沿った孔であってもよい。この横長孔４４ｂの形状によって、水平姿勢のテーブル６の高さ位置を種々設定することができる。
【００８６】
【発明の効果】
請求項１記載のシートのテーブル構造によれば、シートバックを昇降自在に保持する第１の保持手段が設けられている一方、テーブル支持アームを姿勢変更可能に保持する第２の保持手段が設けられ、第２の保持手段は、第１の保持手段と独立した動作によって水平姿勢に設定されたテーブルの高さ位置がシートバックの昇降と独立して一定になるように構成されているため、シートバックは、第１の保持手段の動作によって高さ位置が自在に設定される一方、テーブルは、テーブル支持アームを直立姿勢に設定することによってシートバックの背面に収納されるとともに、第２の保持手段の動作によってテーブル支持アームを傾斜姿勢に設定し、かつ、テーブルを水平姿勢に設定することによって、後方のシートの着座者はこのテーブルを利用することができる。
【００８７】
そして、テーブルは、シートバックの上下位置の変動等に影響されることなく水平姿勢での高さ位置を常に同一に設定し得るため、前部座席の着座者がシートバックの高さ位置を調節する都度、テーブルの高さ位置が変更になって食事等に安心してテーブルを利用し得なくなるという不都合が解消され、シートをより快適に利用し得るように構成した上でテーブルを安心して利用することができ、より快適なシートの利用を図る上で有効である。
【００８８】
本発明の請求項２記載のシートのテーブル構造によれば、第２の保持手段を、テーブル支持アームがシートバックの背面側に収納された状態で第１の保持手段に連動して動作するように構成したため、テーブルがシートバックの背面に収納された状態では、テーブルは、第２の保持手段の第１の保持手段との連動動作によって、シートバックの昇降に応じて昇降し、収納されたテーブルとシートバックの背面部との間で摺接状態が生じず、シートバックの昇降動作を容易に行うことができるとともに、テーブルの収納状態を安定させることができる。
【００８９】
本発明の請求項３記載のシートのテーブル構造によれば、第１の保持手段を、フレームとシートバックとの間に設けられた四辺形リンク構造によって形成したため、シートバックとシートボトムとの相対的な位置関係を略一定に維持した状態で、シートバックの座角を変更することができる。
【００９０】
本発明の請求項４の記載のシートのテーブル構造によれば、第１の保持手段を、フレームとシートバックとの間に設けられた５辺形リンク構造によって形成したため、５辺形リンク構造は、４辺形リンク構造に比べて形状変形の自由度が大きく、従って、シートバックの座角を大きくすることにより、シートボトムをシートバックよりも前進させることが可能であり、こうすることによって、シートバックが、その座角が大きくなった、いわゆるシートがリクライニング姿勢に設定された状態で、シートは、それが着座姿勢に設定されているときより全体の長さが若干長くなり、シートをより快適に利用し得るようになる。
【００９１】
本発明の請求項５記載のシートのテーブル構造によれば、第２の保持手段を、フレームに立設されたブラケットと、基端側がこのブラケットに第１水平軸回りに回動自在に軸支されるとともに、先端側がテーブル支持アームに第２水平軸回りに回動自在に軸支されたリンク腕と、テーブル支持アームの下端部に突設された外方に向かって延びる案内軸とから形成し、ブラケットには、案内軸を案内するガイド長孔を穿設し、このガイド長孔は、シートバックの昇降に対応するように上下方向に延びた縦長孔と、この縦長孔の下端部から前方に向かって延びた横長孔とから構成したため、テーブルをシートバックの背面に収納した状態でシートバックを上下動させることによって、シートバックの上下動に同伴して昇降させることができる。従って、テーブルが昇降し得ない場合には、シートバックを昇降させたときにシートバックとテーブルとの間でこすれ合いが生じ、円滑なシートバックの上下動が阻害されるという不都合を回避することができる。
【００９２】
そして、直立姿勢でシートバックの背面に収納されているテーブルを水平姿勢に姿勢変更させるときには、テーブル支持アームのみを案内軸が縦長孔の下端部に到達するまで降ろし、ついでテーブル支持アームの上端部を後方に引くことにより、案内軸が横長孔に案内されつつテーブル支持アームは第１水平軸回りに回動し、これによってテーブルをシートバックから後方に引き出すことができる。この状態でテーブルを後方に向けて第２水平軸回りに回動させることにより、テーブルをシートバックから後方に引き出された状態で水平姿勢にすることができる。
【００９３】
このように、テーブル支持アームに案内軸を設けるとともに、ブラケットに案内軸の昇降および第２水平軸回りの回転を案内する縦長孔および横長孔からなるガイド長孔を設けたため、テーブルはシートバックの上下動に対しては縦長孔に案内されつつシートバックに同伴して昇降するとともに、案内軸が縦長孔の下端部に到達した状態でテーブルがシートバックの背面から引き出され、これによって引き出されたテーブルは、シートバックの高さ位置に影響されることなく常に一定の高さ位置に保持することができる。
【００９４】
本発明の請求項６記載のシートのテーブル構造によれば、第２の保持手段を、フレームに立設されたブラケットと、基端側がこのブラケットに第１水平軸回りに回動自在に軸支されるとともに、先端側がテーブル支持アームに第２水平軸回りに回動自在に軸支されたリンク腕と、基端側がブラケットに第３水平軸回りに回動自在に軸支されるとともに、先端側がテーブル支持アームに第４水平軸回りに回動自在に軸支された、リンク腕と略平行な第２リンク腕とを備えて形成し、第２リンク腕には、第４水平軸を案内する長手方向に延びたリンク長孔を穿設したため、テーブル支持アームとブラケットとがリンク腕と第２リンク腕とで形成された４辺形リンク構造によって互いに連結された状態で、テーブル支持アームは、この４辺形リンク構造のリンク運動に従って昇降可能になっており、シートバックの昇降に追随して昇降することができる。
【００９５】
そして、第４水平軸はリンク長孔の穿設範囲内で移動可能になっており、これによってテーブル支持アームは第２水平軸回りに第４水平軸の移動範囲内での正逆回動によってシートバックに収納される位置とシートバックから引き出される位置との間で回動することができる。従って、テーブル支持アームは、シートバックの背面に収納された状態では、シートバックの昇降に追随して昇降するとともに、任意の位置でシートバックの背面から引き出すことができる。しかも、テーブル支持アームは、それを引き出した状態で最下位に位置設定することが可能であり、こうすることによってテーブルの高さ位置をシートバックの高さ位置に拘りなく一定に維持することができる。そして、このようにテーブル支持アームの変位に四辺形リンク構造を採用することによって、テーブル支持アームをより円滑に昇降させることができる。
【００９６】
本発明の請求項７記載のシートのテーブル構造によれば、テーブル支持アームをシートバックの方向に向けて斜め上方に付勢する付勢手段を設ける一方、シートバックの背面には収納されたテーブル支持アームの上方への移動を規制する規制手段を設けたため、テーブル支持アームを、付勢手段の付勢力によって常にシートバック背面に当接される方向に向けて付勢することができるとともに、規制手段によってシートバック背面に当接した状態のテーブル支持アームの上方への移動を規制することができ、テーブルのシートバック背面への収納状態を安定させることができる。
【図面の簡単な説明】
【図１】本発明の係るシートの一実施形態を示す背面視の分解斜視図である。
【図２】図１に示すシートの骨格の組立て斜視図である。
【図３】図２に示すシートの側面図である。
【図４】図２に示すシートの背面視の外観図であり、テーブルがシートバックの背面に収納された状態を示している。
【図５】図２に示すシートの背面視の外観図であり、テーブルがシートバックの背面から引き出された状態を示している。
【図６】（イ）〜（ハ）は、第１実施形態のテーブル構造の作用説明用の側面視の説明図であり、テーブルの開閉動作を説明するためのものである。
【図７】（イ）および（ロ）は、第１実施形態のテーブル構造の作用説明用の側面視の説明図であり、シートバックの昇降動作に連動するテーブルの昇降動作を説明するためのものである。
【図８】テーブル構造の第２実施形態を示す分解斜視図である。
【図９】図８の組立斜視図である。
【図１０】（イ）および（ロ）は、第２実施形態のテーブル構造の作用を説明するためのシートの側面視の説明図である。
【図１１】本発明に係るリンク構造の他の実施形態を示す斜視図であり、（イ）は分解斜視図、（ロ）は組立て斜視図である。
【図１２】本発明の他の実施形態の作用を説明するための説明図であり、（イ）はシートバックが直立姿勢に設定された状態、（ロ）はシートバックが傾斜姿勢に設定された状態をそれぞれ示している。
【符号の説明】
１  シート
２  フレーム
３，３ａ  シート本体
３１  シートボトム
３３  ボトムフレーム
３４  シートバック
４  ブラケット
４１  第１ブラケット
４１ｂ  上部リンク腕（第１の保持手段）
４１ｃ  下部リンク腕（第１の保持手段）
４２  第２ブラケット（ブラケット本体）
５  テーブル支持体
５１  テーブル支持アーム
５３  リンク腕（第２の保持手段）
５４  第２水平軸
５６  第１水平軸
５７  案内軸（第４水平軸）
５７１  第３水平軸
６  テーブル
６１  第３水平軸
Ｆ  フロア
【図１】
0003977515.tif 000002
【図２】
0003977515.tif 000003
【図３】
0003977515.tif 000004
【図４】
0003977515.tif 000005
【図５】
0003977515.tif 000006
【図６】
0003977515.tif 000007
【図７】
0003977515.tif 000008
【図８】
0003977515.tif 000009
【図９】
0003977515.tif 000010
【図１０】
0003977515.tif 000011
【図１１】
0003977515.tif 000012
【図１２】
0003977515.tif 000013